(57)【要約】【課題】観察する対象物に応じて、拡大可能な倍率を簡易に増大しうる折畳み式ルーペを提供する。【解決手段】折畳み可能な柄部と、上記柄部の一端部に回動可能に取り付けられたレンズ部と、上記柄部の他端部に回動可能に取り付けられた台部とを備え、上記柄部を折畳んだ場合には、上記柄部を手で把持して虫眼鏡として使用しうると共に、上記柄部を伸展させ、上記レンズ部と上記台部とを互いに対向する位置に回動させ、上記台部を載置面上に載置することでスタンド式ルーペとして使用しうる折畳み式ルーペであって、上記レンズ部と観察対象物との間に、上記柄部に着脱自在に装着しうる対物レンズ部を備え、上記対物レンズ部を装着することにより拡大倍率を増大しうる構成とする。【選択図】図１
0003147058.tif 000002
【実用新案登録請求の範囲】
【請求項１】
折畳み可能な柄部と、上記柄部の一端部に回動可能に取り付けられたレンズ部と、上記柄部の他端部に回動可能に取り付けられた台部とを備え、上記柄部を折畳んだ場合には、上記柄部を手で把持して虫眼鏡として使用しうると共に、上記柄部を伸展させ、上記レンズ部と上記台部とを互いに対向する位置に回動させ、上記台部を載置面上に載置することでスタンド式ルーペとして使用しうる折畳み式ルーペであって、
上記レンズ部と観察対象物との間に、上記柄部に着脱自在に装着しうる対物レンズ部を備え、上記対物レンズ部を装着することにより拡大倍率を増大しうることを特徴とする折畳み式ルーペ。
【請求項２】
上記柄部は、所定寸法を有し、一端部にレンズ部が回動可能に取り付けられ、棒状に形成された柄本体部と、上記柄本体部と略同一の長さ寸法を有すると共に、上記柄本体部の他端部の対向する側面部に、上記柄本体部の側面部に沿って回動可能に取り付けられた一対の脚板部とから形成され、
上記対物レンズ部は、対物レンズと上記対物レンズの周縁に形成され、上記対物レンズを嵌着する対物レンズフレーム部と、上記対物レンズフレーム部の径方向外方に向かって延設され上記脚板部の間隔寸法と略同一寸法離間して配設された一対の板状片からなり、上記脚板部の側面を外方から挟持しうる対物レンズ装着部とから形成されていることを特徴とする請求項１記載の折畳み式ルーペ。
【請求項３】
上記対物レンズ装着部の一対の板状片の互いに対向する先端内側面部には、先端部に向かって拡開するテーパー部が形成されていることを特徴とする請求項２記載の折畳み式ルーペ。
【請求項４】
上記対物レンズ部は上記脚板部に装着した状態で上記脚板部の長さ方向に沿って移動可能に形成されていることを特徴とする請求項２記載の折畳み式ルーペ。
【考案の詳細な説明】
【技術分野】
【０００１】
本考案は、折畳み式ルーペであって、特に柄部が折畳み可能に形成され、上記柄部を折畳んだ場合には、上記柄部を手で把持して虫眼鏡として使用できると共に、上記柄部を伸展させた場合にはスタンド式ルーペとして使用できる折畳み式ルーペに関する。
【背景技術】
【０００２】
図３に示すように、柄部７１を折畳み可能に形成し、上記柄部７１を折畳んだ場合は上記柄部７１を手で把持して虫眼鏡として使用しうると共に、図４に示すように、上記柄部７１を伸展させた場合にはスタンド式ルーペして使用しうる折畳み式ルーペ７０が提案されている（特許文献１）。
図３に示すように、上記特許文献１に係る折畳み式ルーペ７０は、所定長を有し棒状に形成された柄本体部７２と、上記柄本体部７２の一端部７３に回動可能に取り付けられたレンズフレーム７４と、上記レンズフレーム７４に嵌着する凸レンズであるレンズ７５と、上記柄本体部７２の他端部７６において、上記柄本体部７２の側面部７７、７８に回動可能に取り付けられた脚板部７９、８０と、上記脚板部７９、８０の反柄本体部側端部８１に回動可能に取り付けられ、平面略Ｃ字形状に形成された台部８２とから形成されている。
【０００３】
図３は上記折畳み式ルーペ７０の柄部７１を折畳み、上記脚板部７９、８０を上記柄本体部７２の側面部７７、７８に当接させた状態を示す平面図である。
図３に示すように、上記柄部７１を折畳んだ場合は、上記柄部７１を手で把持し、対象物からレンズ部を所定寸法離間させて対象物を観察する、所謂虫眼鏡として使用することが可能である。
また、図４は、上記折畳み式ルーペ７０をスタンド式ルーペとして使用する場合の側面図を示している。
静止物の観察、又は長時間に亘って対象物の観察を行う場合等は、図４に示すように、脚板部７９、８０を回動して上記柄部７１を伸展させると共に、上記レンズフレーム部７４と上記台部８２と互いに対向する位置に回動させ、上記台部８２を載置面上に載置することで、手を用いることなく対象物を観察することができる。
【０００４】
しかしながら、対象物のより微細な形状や構造を観察するためには、上記レンズ７５のみでは倍率が不足し、十分な観察結果が得られない場合があった。
また、より大きな拡大倍率を得るためには、顕微鏡を使用することが可能であるが、一般的に顕微鏡は虫眼鏡と比べ高価であると共に、観察操作が煩わしく取扱いが難しいという不具合を有していた。
【０００５】
【特許文献１】実登３０８８２１０号
【考案の開示】
【考案が解決しようとする課題】
【０００６】
本考案の課題は、観察する対象物に応じて、拡大可能な倍率を簡易に増大しうる折畳み式ルーペを提供することにある。
【課題を解決するための手段】
【０００７】
上記課題を解決するために、請求項１に記載の考案は、折畳み可能な柄部と、上記柄部の一端部に回動可能に取り付けられたレンズ部と、上記柄部の他端部に回動可能に取り付けられた台部とを備え、上記柄部を折畳んだ場合には、上記柄部を手で把持して虫眼鏡として使用しうると共に、上記柄部を伸展させ、上記レンズ部と上記台部とを互いに対向する位置に回動させ、上記台部を載置面上に載置することでスタンド式ルーペとして使用しうる折畳み式ルーペであって、上記レンズ部と観察対象物との間に、上記柄部に着脱自在に装着しうる対物レンズ部を備え、上記対物レンズ部を装着することにより拡大倍率を増大しうることを特徴とする。
【０００８】
従って、上記対物レンズ部で拡大された対象物の像を上記レンズが再度拡大することによって対象物の拡大倍率が増大し、簡易な顕微鏡として機能すると共に、上記対物レンズを脱着することによって、通常のスタンド式ルーペとしても機能する。
【０００９】
また、請求項２に記載の考案は、上記柄部は、所定寸法を有し、一端部にレンズ部が回動可能に取り付けられ、棒状に形成された柄本体部と、上記柄本体部と略同一の長さ寸法を有すると共に、上記柄本体部の他端部の対向する側面部に、上記柄本体部の側面部に沿って回動可能に取り付けられた一対の脚板部とから形成され、上記対物レンズ部は、対物レンズと上記対物レンズの周縁に形成され、上記対物レンズを嵌着する対物レンズフレーム部と、上記対物レンズフレーム部の径方向外方に向かって延設され上記脚板部の間隔寸法と略同一寸法離間して配設された一対の板状片からなり、上記脚板部の側面を外方から挟持しうる対物レンズ装着部とから形成されていることを特徴とする。
【００１０】
従って、上記対物レンズ装着部の一対の板状片の間に、上記脚板部を幅方向に沿って差込み、上記板状片によって上記脚板部の側面部を外方から挟持することによって、簡易な操作で対物レンズ部を上記脚板部に装着することができる。
【００１１】
また、請求項３記載の考案にあっては、上記対物レンズ装着部の一対の板状片の互いに対向する先端内側面部には、先端部に向かって拡開するテーパー部が形成されていることを特徴とする。
【００１２】
従って、上記板状片の間に上記脚板部を差し込む操作がよりスムーズに行うことができる。
【００１３】
また、請求項４記載の考案にあっては、上記対物レンズ部は上記脚板部に装着した状態で上記脚板部の長さ方向に沿って移動可能に形成されていることを特徴とする。
【００１４】
従って、上記対物レンズ部を装着した状態で、観察対象物に対する焦点調整を行うことが可能となる。
【考案の効果】
【００１５】
請求項１に記載の考案においては、折畳み可能な柄部と、上記柄部の一端部に回動可能に取り付けられたレンズ部と、上記柄部の他端部に回動可能に取り付けられた台部とを備え、上記柄部を折畳んだ場合には、上記柄部を手で把持して虫眼鏡として使用しうると共に、上記柄部を伸展させ、上記レンズ部と上記台部とを互いに対向する位置に回動させ、上記台部を載置面上に載置することでスタンド式ルーペとして使用しうる折畳み式ルーペであって、上記レンズ部と観察対象物との間に、上記柄部に着脱自在に装着しうる対物レンズ部を備え、上記対物レンズ部を装着することにより拡大倍率を増大しうることから、観察する対象物に応じて、拡大可能な倍率を簡易に増大しうる折畳み式ルーペを提供することが可能となる。
【００１６】
また、請求項２に記載の考案においては、上記柄部は、所定寸法を有し、一端部にレンズ部が回動可能に取り付けられ、棒状に形成された柄本体部と、上記柄本体部と略同一の長さ寸法を有すると共に、上記柄本体部の他端部の対向する側面部に、上記柄本体部の側面部に沿って回動可能に取り付けられた一対の脚板部とから形成され、上記対物レンズ部は、対物レンズと上記対物レンズの周縁に形成され、上記対物レンズを嵌着する対物レンズフレーム部と、上記対物レンズフレーム部の径方向外方に向かって延設され上記脚板部の間隔寸法と略同一寸法離間して配設された一対の板状片からなり、上記脚板部の側面を外方から挟持しうる対物レンズ装着部とから形成されていることから、請求項１の効果に加え、より容易に対物レンズ部の着脱操作を行うことが可能となる。
【００１７】
また、請求項３に記載の考案においては、上記対物レンズ装着部の一対の板状片の互いに対向する先端内側面部には、先端部に向かって拡開するテーパー部が形成されていることから、対物レンズ部の着脱操作が更に容易となる。
【００１８】
また、請求項４に記載の考案においては、上記対物レンズ部は上記脚板部に装着した状態で上記脚板部の長さ方向に沿って移動可能に形成されていることから、請求項２の効果に加え、対象物の形状及び大きさが変化しても、上記対物レンズ部を上下に移動させることで、対象物に対する焦点合わせを容易に行うことが可能となる。
【考案を実施するための最良の形態】
【００１９】
以下添付図面を用いて、本考案に係る折畳み式ルーペの実施例の形態を説明する。
図１に示すように、本実施例に係る折畳み式ルーペ１０は、折畳み可能な柄部１１と、上記柄部１１の一端部１２に回動可能に取り付けられたレンズ部１３と、上記柄部１１の他端部１４に回動可能に取り付けられた台部１５とを備え、上記柄部１１を折畳んだ場合には、上記柄部１１を手で把持して虫眼鏡として使用しうると共に、上記柄部１１を伸展させ、上記レンズ部１３と上記台部１５とを互いに対向する位置に回動させ、上記台部１５を載置面１６上に載置することでスタンド式ルーペとして使用しうる。
また、上記レンズ部１３と観察対象物との間に、上記柄部１１に着脱自在に装着しうる対物レンズ部１７を備え、上記対物レンズ部１７を装着することにより拡大倍率を増大しうるように形成されている。
また、上記柄部１１は、所定寸法を有し、一端部１８にレンズ部１３が回動可能に取り付けられ、棒状に形成された柄本体部１９と、上記柄本体部１９と略同一の長さ寸法を有すると共に、上記柄本体部１９の他端部２０の対向する側面部２１，２２に、上記柄本体部１９の対向する側面部２１，２２に沿って回動可能に取り付けられた一対の脚板部２３，２４とから形成され、上記対物レンズ部１７は、対物レンズ２５と上記対物レンズ２５の周縁に形成され、上記対物レンズ２５を嵌着する対物レンズフレーム部２６と、上記対物レンズフレーム部２６の径方向外方に向かって延設され、上記脚板部２３，２４の間隔寸法と略同一寸法離間して配設された一対の板状片２７，２８からなり、上記脚板部２３，２４の側面２９，３０を外方から挟持しうる対物レンズ装着部３１とから形成されている。
また、図２に示すように、上記対物レンズ装着部３１の一対の板状片２７，２８の互いに対向する先端内側面部には、先端部に向かって拡開するテーパー部３２が形成されている。
また、図１に示すように、上記対物レンズ部１７は上記脚板部２３，２４に装着した状態で上記脚板部２３，２４の長さ方向に沿って移動可能に形成されている。
【実施例】
【００２０】
以下添付図面を用いて本実施例について詳述する。
図１は、本実施例に係る折畳み式ルーペ１０をスタンド式ルーペの使用形態とし、且つ対物レンズ部１７を装着した状態を示す全体斜視図である。
図１に示すように、本実施例に係る折畳み式ルーペ１０をスタンド式ルーペとして用いる場合は、柄本体部１９と脚板部２３，２４とを一直線となるように伸展させ、レンズ部１３と台部１５を互いに対向する位置に回動させて、側面略コ字形状とし、上記対物レンズ部１７を、脚板部２３，２４の任意位置に装着する。
上記レンズ部１３のフレーム部３３と上記フレーム部３３に嵌着された凸レンズであるレンズ３４とから形成され、上記台部１５は上記フレーム部３３よりもやや大きな径寸法を有し、上記脚板部２３，２４との接続部３５の径方向対向側が開放する平面略Ｃ字形状に形成されている。
上記対物レンズ部１７は上記レンズ部１３よりも小径に形成され、図２に示すように、リング状に形成された対物レンズフレーム２６と、上記対物レンズフレーム２６の内周に嵌着された凸レンズである対物レンズ２５を有している。
また、上記対物レンズフレーム部２６の径方向外方に向かって、一対の対向する板状片２７，２８から成り、平面略コ字形状に形成された対物レンズ装着部３１が延設されている。
上記板状片２７、２８の離間寸法は、図１に示すように、上記脚板部２３、２４の離間寸法と略同一寸法に形成されている。
【００２１】
上記構成による実施例の作用について以下説明する。
図１に示すように、本実施例に係る折畳み式ルーペ１０をスタンド式ルーペとして用いる場合は、観察対象試料３６を、載置面１６上に載置する。
上記レンズ３４のみでは、十分な拡大率が得られない場合は、上記対物レンズ部１７の板状片２７，２８を上記脚板部２３，２４に対して直交する向きにし、この状態で、図中矢印Ａの方向に上記脚板部２３，２４の外側面２９，３０を上記板状片２７，２８の間に図中前面側から差し入れる。この際、上記脚板部２３、２４の厚さ寸法分、上記板状片２７，２８が拡開されるため、上記板状片２７、２８が互いに近接する方向に付勢力が生じ、上記付勢力によって上記脚板部２３、２４が外方から把持されることで、上記対物レンズ部１７が装着される。
この際、上記板状片２７，２８には先端部に向かって拡開するテーパー部３２を有していることから、上記板状片２７，２８に上記脚板部２３，２４を差し込む操作がよりスムーズとなり、上記対物レンズ部１７の着脱操作がより容易となる。
更に、上記対物レンズ部１７を上記脚板部２３，２４に装着した状態で、上記観察対象試料３６の形状等合わせ、上記対物レンズ部１７が適正焦点位置となるように、上記レンズ部１３から上記観察対象試料３６を目視しながら、上記脚板部２３，２４の長さ方向に沿って上下に適宜移動させる。
対物レンズ部１７を装着することによって、上記観察対象試料３６は、一旦上記対物レンズ部１７の対物レンズ２５の拡大率に従って拡大され、上記対物レンズ２５による拡大像を上記レンズ部１３のレンズ３４が再度拡大するため、より大きな拡大倍率を確保することが可能となり、より微細な形状、構造を観察することができる。
また、上記対物レンズ部１７の着脱が容易であることから、観察する対象物によって、拡大倍率を簡易に変更することが可能であり、効率的に観察作業を行うことが可能となる。
【産業上の利用可能性】
【００２２】
本考案は、折畳み式ルーペであって、特に柄部が折畳み可能に形成され、上記柄部を折畳んだ場合には、上記柄部を手で把持して虫眼鏡として使用できると共に、上記柄部を伸展させた場合にはスタンド式ルーペとして使用できる折畳み式ルーペに適用することが可能である。
【図面の簡単な説明】
【００２３】
【図１】本考案の一実施の形態を示し、実施例の形態における、折畳み式ルーペをスタンド式ルーペの形態とし、対物レンズ部を装着した状態を示す全体斜視図である。
【図２】本考案の一実施の形態を示し、実施例の形態における対物レンズ部の全体斜視図である。
【図３】従来の折畳み式ルーペを折畳んだ状態の平面図である。
【図４】従来の折畳み式ルーペの柄部を伸展させた状態の側面図である。
【符号の説明】
【００２４】
１０  折畳み式ルーペ
１１  柄部
１２  柄部の一端部
１３  レンズ部
１４  柄部の他端部
１５  台部
１６  載置面
１７  対物レンズ部
１８  柄本体部の一端部
１９  柄本体部
２０  柄本体部の他端部
２１  柄本体部の側面部
２２  絵本体部の側面部
２３  脚板部
２４  脚板部
２５  対物レンズ
２６  対物レンズフレーム部
２７  板状片
２８  板状片
２９  脚板部側面部
３０  脚板部側面部
３１  対物レンズ装着部
３２  テーパー部
３３  レンズ部のフレーム部
３４  レンズ
３５  台部と脚板部との接続部
３６  観察対象試料
７０  折畳み式ルーペ
７１  柄部
７２  柄本体部
７３  柄本体部の一端部
７４  レンズフレーム
７５  レンズ
７６  柄本体部の他端部
７７  柄本体部の側面部
７８  柄本体部の側面部
７９  脚板部
８０  脚板部
８１  脚板部の反柄本体部側端部
８２  台部
【図１】
0003147058.tif 000003
【図２】
0003147058.tif 000004
【図３】
0003147058.tif 000005
【図４】
0003147058.tif 000006